(57)【特許請求の範囲】
【請求項１】
頭部(2)の上面中央に、開閉機能付きの注出ノズル(3)を起立させ、該注出ノズル(3)の押し下げ動作により内容物の注出が可能な容器体(1)と、 該容器体(1)の胴部に外嵌する外装筒(12) の上端に連設された頂板(13) の中央に、前記注出ノズル(3)が突出する開口部(14) を開設して構成され、前記容器体(1)の上部に不動に外装する装着体(11) と、前記注出ノズル(3)が密嵌入して突き当たる段付き孔(23)を下面に開設すると共に、上面中央に注出筒片(24)を立設して、該注出筒片(24)が形成する注出口(25)と前記段付き孔(23)とを連通させる注出路(26)を内部に形成した押圧ブロック(22) を有し、該押圧ブロック(22) の側面から、外装筒(12)の外表面に沿って垂下片(30)を垂下設したキャップ体(21)とから構成され、前記容器体(1)と装着体(11)とキャップ体(21)を組み付けた状態で前記外装筒(12)の前後面に対向する位置になるように、前記垂下片(30)の外面から肩部(32)、および該肩部(32)の下端に薄肉横断状に形成されるヒンジ部(42)を介して、該ヒンジ部(42)を支点として外側および内側方向への弾性的な変形可能に、内側面の前記ヒンジ部(42)直下の位置に、先端部(43)を内側に突き出した作用突片(41)を付設した、一対の操作片(31)を一体垂下設し、前記先端部(43)が下方から当接する係止段部(44)を、前記外装筒(12)の外面に形成して、前記一対の操作片(31)の容器体(1)側への押圧により、前記注出ノズル(3)を押し下げるように構成した、注出容器。
【請求項２】
左右に並列に隣接組合せた一対の容器体(1)用い、外装筒(12)が前記一対の容器体(1)の上端部に外嵌し、装着体(11)が一対の容器体(1)の上端部に不動に外装し、押圧ブロック(22)の下面に一対の段付き孔(23)を開設し、注出筒片(24)が形成する注出口(25)と該両段付き孔(23)とを連通して、操作片(31)を前記外装筒(12)の前後面の中央部に対向する位置に垂下設する構成とした、請求項１記載の注出容器。
【請求項３】
押圧ブロック(22)の側周面から外鍔状に連設した頂壁(29)を介して、外装筒(12)上部に上下に摺動変位自在に外嵌する筒状の垂下筒(30a)を垂下設し、垂下片(30)とした、請求項１または２記載の注出容器。
【請求項４】
押圧ブロック(22)の前後面から、外装筒(12)の外表面に沿って一対の垂下片(30)を垂下設する構成とした、請求項１または２記載の注出容器。
【請求項５】
頂板(13) の上面に一対のガイド片(16) を立設し、押圧ブロック(22) の一部に、前記ガイド片(16) が上下に摺動変位自在に遊嵌する一対のガイド孔(28)を開設した、請求項１、２または４記載の注出容器。
【請求項６】
容器体(1)をエアゾール式容器とした、請求項１、２、３、４または５記載の注出容器。
【請求項７】
キャップ体(21)上に、塗布体を付設し、該塗布体上に容器体(1)の内容物を注出する構成とした、請求項１、２、３、４、５または６記載の注出容器。
【発明の詳細な説明】
【０００１】
【発明の属する技術分野】
本発明は、注出ノズルを有した容器から容易な操作で内容物を噴出させる、さらに詳言すれば、手で胴体部を掴持する押圧動作により注出ノズルを押し下げることができる注出容器に関するものである。
【０００２】
【従来の技術】
例えば、或る種の染毛剤のように、２種の内容物を使用時に一緒に注出するタイプのもので、内容物を個々にエアゾール式容器に収納し、使用時に、この一対のエアゾール式容器から内容物を同時に噴出させると共に、この噴出した内容物を一緒に一か所から注出する容器として、特開平４−１０２５６９号公報に開示された技術がある。
【０００３】
この従来技術は、内容物を収納した一対のエアゾール式容器と、この一対のエアゾール式容器を並列に隣接して収納する有底の収納ケースと、この収納ケースの上端開口部を塞ぐ形態でヒンジ結合され、下面に各エアゾール式容器の注出ノズルが密嵌入して突き当たる段付き孔と、上面に吐出口と、そして両段付き孔と吐出口とを連通させる案内路とを形成したガイド部材の前端に、収納ケースの外側の前下方に垂下した押動レバーを連設した可動カバーと、から構成されている。
【０００４】
この従来技術にあっては、容器を掴持した片手の指で押動レバーを収納ケース側に押圧することにより、ヒンジ結合部を軸としてガイド部材を下降傾動させ、これにより一対のエアゾール式容器の注出ノズルを同時に押し下げて開放し、両エアゾール式容器の内容物を、段付き孔、案内路そして吐出口を経て、一緒に吐出するので、一つの押動レバーに対する簡単な押圧操作により、二つのエアゾール式容器の内容物を、同時にかつ一緒にした状態、すなわちそのまま使用することのできる状態で吐出する、と云う優れた効果を発揮する。
【０００５】
【発明が解決しようとする課題】
しかしながら、上記した従来技術にあっては、吐出口を設けた可動カバーを収納ケースにヒンジ結合する必要があるので、その組付け構造が簡潔ではなく、かつ片側に対する力の作用による可動カバーの傾動下降により、エアゾール式容器の注出ノズルを開放するので、吐出バランスの変化により内容物が適切な混合比を保てなくなる場合がある恐れがあった。
【０００６】
同様に、可動カバーの傾動下降によりエアゾール式容器の注出ノズルを開放するので、可動カバーの段付き孔と注出ノズルとの間のシールを確保するのが難しい、と云う問題があった。
【０００７】
そこで、本発明は、上記した従来技術における問題点を解消すべく創案されたもので、容器を掴持した片手の指先の操作により、エアゾール式容器、ポンプ式容器等の注出ノズルを有した容器の注出ノズルを押し下げる部分を、簡単にかつ安定して下降変位させるようにすることを技術的課題とし、もって内容物を注出する部分の姿勢を一定させると共に、強固で安定したシール性を確保し、さらに良好で安全な取扱い性を有した注出容器を得ることを目的とする。
【０００８】
【課題を解決するための手段】
上記技術的課題を解決する本発明の内、請求項１記載の発明の手段は、頭部の上面中央に、開閉機能付きの注出ノズルを起立させ、この注出ノズルの押し下げ動作により内容物の注出が可能な容器体を有すること、容器体の胴部に外嵌する外装筒の上端に連設された頂板の中央に、注出ノズルが突出する開口部を開設して構成され、容器体の上部に不動に外装する装着体を有すること、注出ノズルが密嵌入して突き当たる段付き孔を下面に開設すると共に、上面中央に注出筒片を立設して、この注出筒片が形成する注出口と段付き孔とを連通させる注出路を内部に形成した押圧ブロックを有し、この押圧ブロックの側面から、外装筒の外表面に沿って垂下片を垂下設したキャップ体を有すること、容器体と装着体とキャップ体を組み付けた状態で、外装筒の前後面に対向する位置になるように、垂下片の外面から肩部、およびこの肩部の下端に薄肉横断状に形成されるヒンジ部を介して、このヒンジ部を支点として外側および内側方向への弾性的な変形可能に、内側面のヒンジ部直下の位置に、先端部を内側に突き出した作用突片を付設した、一対の操作片を一体垂下設すること、先端部が下方から当接する係止段部を、外装筒の外面に形成すること、一対の操作片の容器体側への押圧により、注出ノズルを押し下げるように構成すること、にある。
【０００９】
請求項１の上記構成により、容器体の上端部に、上方から装着体を不動に外装組付けし、この装着体の外装筒の上部にキャプ筒を外嵌するようにキャップ体を組付けて注出容器の組立てを完了するが、キャップ体の組み付けにより、装着体の開口部から突出した容器体の注出ノズルがキャップ体の段付き孔に密嵌入すると共に、操作片に付設した作用突片は、その先端部を外装筒に設けた当接段部に係止した姿勢で保持される。
【００１０】
この状態から、容器を掴持した片手の親指と人指し指とで、注出容器の前後面に対向して位置する一対の操作片を摘むように押圧すると、操作片が注出容器の方向に変形するが、作用突片がヒンジ部を支点とし回転すると共に、その先端部が外装筒の係止段部を上方に押す作用を及ぼし、その分キャップ体と装着体が相対的に上下動する。
【００１１】
装着体は容器体の上端部に不動に外装し、また注出ノズルを段付き孔に密嵌入させ、キャップ体を組み付ける構成であるので、上記キャップ体と装着体との相対的な上下動により、注出ノズルを押下げることができる。
【００１２】
注出ノズルが押し下げられると、容器体内の内容物が注出ノズルから噴出され、段付き孔から注出路を経て注出筒片内に進入し、注出口から外部に注出される。
【００１３】
上記した作用はヒンジ部を支点、操作片の指が掛かる部分を力点、先端部と係止段部の係止部を作用点とした梃子の作用機構を利用したものであり、一対の操作片の指先による押圧動作により、注出ノズルを容易にかつ、安定して押し下げることができる。
【００１４】
注出ノズルの押し下げ、すなわちキャップ体の押圧ブロックの引き下げは、一対の操作片による、垂下片の容器体および装着体に対する相対的な引き下げによって達成されるので、容器体の注出ノズルに対する押圧ブロックの姿勢が、内容物の注出時に変化することがなく、段付き孔に対する注出ノズルの姿勢を常に一定に保持することができ、これにより注出ノズルとの間の強固なシールを安定して保持することができる。
【００１５】
また、キャップ体の押圧ブロックは、両操作片が押圧されない限り、下降変位しないので、不本意に片方の操作片が押圧されたとしても下降変位せず、容器体の内容物を不都合に注出することがない。
【００１６】
請求項２記載の発明の手段は、請求項１記載の発明において、左右に並列に隣接組合せた一対の容器体を用いること、
外装筒が一対の容器体の上端部に外嵌し、装着体が一対の容器体の上端部に不動に外装すること、
押圧ブロックの下面に一対の段付き孔を開設し、注出筒片が形成する注出口と該両段付き孔とを連通すること、
一対の操作片を外装筒の前後面の中央部に対向する位置に垂下設する構成とすること、
にある。
【００１７】
請求項２記載の上記構成は一対の容器体を用いたものであるが、両注出ノズルの押し下げ、すなわちキャップ体の押圧ブロックの引き下げは、一対の操作片を介した、この押圧ブロックから垂下設された垂下片の容器体および装着体に対する相対的な引き下がりによって達成されるので、押圧ブロックは傾くことなく引き下げられ、段付き孔と注出ノズルとの間のシールを確実に保持することができる。
【００１８】
また、両注出ノズルは同時に開放操作されることになり、さらに注出筒片はその姿勢を傾動変化させることがない
【００１９】
また、両容器体の注出ノズルが等しく押し下げられ、注出ノズルが押し下げられると、両容器体内の内容物が注出ノズルから噴出され、両段付き孔から注出路を経て注出筒片内に進入し、ここで合流して注出容器から外部に注出される。
【００２０】
上記作用機構により、両容器体から吐出される内容物の量を常時一定にすることができ、使用者は特に意識することなく、常時適切な混合比で使用することができる。
【００２１】
請求項３記載の発明の手段は、請求項１または２記載の発明において、押圧ブロックの側周面から外鍔状に連設した頂壁を介して、外装筒上部に上下に摺動変位自在に外嵌する筒状の垂下筒を垂下設し、垂下片とすること、にある。
【００２２】
請求項３記載の上記構成により、垂下筒が上下に摺動変位自在に外装筒に外嵌しており、装着体とキャップ体の相対的な上下方向の動作をより安定して達成することが可能となり、また、筒状に外装筒に外嵌しているので垂下筒の変形は抑制され、操作片の押圧操作をより安定して達成することができる。
【００２３】
請求項４記載の発明の手段は、請求項１または２記載の発明において、押圧ブロックの前後面から、外装筒の外表面に沿って一対の垂下片を垂下設することにある。
【００２４】
請求項４記載の上記構成は、一対の垂下片を垂下設したもであり、垂下片を筒状にする場合に比較して、材料コストを軽減でき、また容器の軽量化が可能である。
【００２５】
請求項５記載の発明の手段は、請求項１、２または４の発明において、頂板の上面に一対のガイド片を立設し、押圧ブロックの一部に、このガイド片が上下に摺動変位自在に遊嵌する一対のガイド孔を開設すること、にある。
【００２６】
請求項５記載の上記構成により、装着体とキャップ体の相対的な上下方向の動作をより安定して達成することが可能となる。
【００２７】
請求項６記載の発明の手段は、請求項１、２、３、４または５記載の発明において、容器体をエアゾール式容器とすること、にある。
【００２８】
請求項６記載の上記構成により、特に左右に並列に隣接組合せた一対の容器体を有するエアゾール式容器では、両操作片の押圧操作により容器体の注出ノズルが開状態となり、内容物が噴出、両段付き孔から注出路を経て注出筒片内に進入し、ここで合流して注出容器から外部に注出されるが、注出ノズルが押圧ブロックにより傾くことなく、また両容器が等しく押し下げられるので、高圧で噴出するエアゾールにおいても充分なシール性を確保すると共に、両容器の内容物の混合を均一に達成することが可能となる。
【００２９】
請求項７記載の発明の手段は、請求項１、２、３、４、５または６記載の発明において、キャップ体上に、塗布体を付設し、この塗布体上に容器体の内容物を注出する構成とすること、にある。
【００３０】
塗布体としては、たとえば櫛状のものあるいはブラシ状のものを等を使用することできるが、請求項７の上記構成により、容器体の内容物を直接このようなブラシあるいは櫛等の上に注出することができ、容易な操作で頭髪等へ塗布することが可能となり、特に一対の容器体を用いる場合には、両内容物を混合した状態で塗布体上に注出することができる。
【００３１】
【発明の実施の形態】
以下、本発明の注出容器の第1実施例を、図面（図１〜図５）を参照しながら説明する。
容器体１はエアゾール式容器であり（図２、図３参照）、細長有底円筒状をした金属製本体の縮径した口部に、弁による開閉機能部を備えた注出ノズル３を有する金属製あるいは硬質樹脂製のキャップをカシメ固定して頭部２を形成し、注出ノズル３は、この頭部２上面に起立した状態となっている。
【００３２】
装着体１１は、並列に隣接配置された一対の容器体１の上端部に外嵌する長円筒状の外装筒１２の上端に、開口部１４を開設して内鍔状となった頂板１３を連設し、この頂板１３の下面の左右両端部に、容器体１の頭部２に外嵌して、頭部２直下の周溝部４にアンダーカット結合する、略半円弧筒片状の嵌着筒状片１５を垂下設している。
【００３３】
また、外装筒１２の前後面の中央部の下端部近傍に水平方向に横条４５を付設して、係止段部４４を形成している。
【００３４】
キャップ体２１は、主として押圧ブロック２２と、垂下筒３０ａと、操作片３１の部分から構成され、押圧ブロック２２は下面の左右両端部に、注出ノズル３が密嵌入して突き当たる段付き孔２３を開設すると共に、上面の中央に注出口２５を形成する注出筒片２４を起立設し、内部に両段付き孔２３と注出口２５とを連通する注出路２６を形成している。
【００３５】
上記押圧ブロック２２の側周面から、頂壁２９を介して、外装筒１１の上部に上下に摺動変位自在に外嵌する長円筒状の垂下筒３０ａを垂下設し、この垂下筒３０ａの前後面の中央部の下端部から、肩部３２およびこの肩部３１の下端部に設けたヒンジ部４２を介して、このヒンジ部４２を支点として外側および内側方向への弾性的な変形可能に、一対の操作片３１を垂下設している。
【００３６】
操作片３１の外側の面には指での押圧動作が容易になるように、指当て部３３を形成しており、内側の面のヒンジ部４２の直下の位置に、一つの角部を先端部４３として内側に突き出るように、三角板片状の作用突片４１を付設しており、本第1実施例では、作用突片４１の三角形の形状は略直角三角形であり、直角部分をヒンジ部４２の直下に位置させた構成である。（図３参照）
【００３７】
本第１実施例の容器体１、装着体１１、およびキャップ体２１の組み立てた状態および使用状態について説明する。
装着体１１は、並列に隣接配置された一対の容器体１に、上方から被嵌状に組付けることにより、両嵌着筒状片１５の下端部が容器体１の頭部２の周溝部４に係止することにより、強固にかつ不動に外嵌結合して組付き、また注出ノズル３は開口部１４から突出した状態となる。
【００３８】
また、外装筒１２は長円筒状となっており、その下部は容器体１の胴部に略外接した状態となるが、前後壁の中央部分では両容器体１との間に、両容器体１の隣接部に形成される谷状部により、空間が形成される。
【００３９】
次に、一対の容器体１の両注出ノズル３が、一対の段付き孔２３に嵌入するように、また、外装筒１２を垂下筒３０ａで外嵌しながら、装着体１１の上方から、キャプ体２１を組付けるが、操作片３１は外側および内側方向に弾性変形可能であり、この組付けは容易に実施することができる。
【００４０】
操作片３１は外装筒１２の前後面の中央部に対向して位置し、作用突片４１の先端部が４３が外装筒１２の下端部に形成された係止段部４４に下方から当接し、直角三角形の一辺が操作片３１から操作段部４４へ水平な姿勢に保持される。
【００４１】
上記のように、容器体１に装着体１１、およびキャップ体２１を組付けた状態で、注出容器を手で掴持し、指先で一対の操作片３１を容器体１方向への押圧すると、ヒンジ部４２を支点として、作用突片４１が回転して、先端部４３の高さ位置が上方に持ちあがる。
【００４２】
すなわち、ヒンジ部４２を支点、操作片４１の指が掛かる部分を力点、先端部４３と係止段部４４の係止部を作用点とした梃子の作用機構により、作用突片４１の先端部４３が、外装筒１２の係止段部４４を押上げる作用効果を及ぼし、その結果として、注出ノズル３が押し下げられる。（図５参照）
【００４３】
内容物の注出が終わって、操作片３１への押圧を解除すると、操作片３１は弾性により元の位置に戻ると共に、注出ノズル３が元の位置に戻り、閉の状態となる。
【００４４】
この際、垂下筒３０ａが外装筒１２に、上下に摺動変位自在に外嵌した構成であるので、押圧ブロック２２は両注出ノズル３に対して傾くことなく安定した姿勢を保持することができ、また、操作片４１を押圧した状態でも垂下片３０ａ下端部の変形を抑制することができる。
【００４５】
なお、本実施例の場合、押圧ブロック２２は、注出路２６の成形の都合から、上蓋状の本体部分と、この本体部分の下面側に密に嵌まり込み、一対の段付き孔２３を開設した下蓋板片２７とから構成されている。
【００４６】
また、注出筒片２４は短円筒状となっているが、この注出筒片２４の上方に、たとえば、図９に示すような櫛体５０や、多数のブラシ片を立設したブラシ体等の塗布体を付設する構成とすることもできる。
【００４７】
図９をさらに詳細に説明すると、櫛体５０は注出筒片２４を上方に延長し、上端部と略中央高さ位置に枠櫛片５２を付設した起立筒５１と、内部に櫛歯注出路５７と櫛歯注出口５８を有した複数の櫛歯片５５を連結体５４で一体にした櫛歯体部５３から構成され、この櫛歯体部５３は各櫛歯片５５の嵌入筒片５６が起立筒５１に形成された貫通孔５９に嵌入して起立筒５１に結合組付けされる。
【００４８】
一対の容器体１から噴出した内容物は押圧ブロック２２内で混合され、起立筒５１内、櫛歯注出路５７を流動し、櫛歯注出口５８から櫛歯片５５および枠櫛歯片５２上に注出される。
【００４９】
図６は、本発明の注出容器の第２実施例であり、１ケの容器体１を用いたものであり、段付き孔２３を１ケとし、外装筒１２およびキャップ筒は円筒状とするが、操作片３１、作用突片４１等の他の構成は略第１実施例の構成に準じたものとしている。
【００５０】
特に、エアゾール式容器を用いる場合、注出ノズル３を指で押すと、かなりの押下げ力を要し、またその押下げのストロークが短いため注出量の加減がし難いが、本実施例の注出容器では、キャップ体２１により押圧ブロック２２を介して注出ノズル３に押し下げ力を作用させることができ、比較的小さな力で、注出量を加減しながら内容物を注出させることが可能となり、本発明は一対の容器体１に限らず１ケの容器体１を用いても良好な注出性等の効果が発揮される。
【００５１】
図７および図８は本発明の注出容器の第3実施例であり、第1実施例における垂下筒３０ａの替わりに、一対の垂下片３０を外装筒１２の前後面の中央部に垂下設し、装着体１１の頂板１３の上面の開口部１４の左右開口縁に、半円弧筒状のガイド片１６を起立設し、押圧ブロック２２の左右両端部に、ガイド片１６が上下に摺動変位自在に遊嵌するガイド孔２８を形成している。
【００５２】
図１０は本発明の注出容器の第４実施例であり、外装筒１２を、第１実施例の外装筒１２の下端の前後面の中央部から一対の延長片１７を垂下設した構成とし、この延長片１７の下端近傍に横条４５を付設して、係止段部４４を形成したものであり、このような外装筒１２の下部を筒状としない構成も可能である。
【００５３】
【発明の効果】
本発明は、上記した構成となっているので、以下に示す効果を奏する。
請求項１記載の発明においては、ヒンジ部を支点、作用突片の先端部と係止段部の係止部を作用点、操作片を力点とした梃子の作用機構を利用したものであり、一対の操作片の指先による押圧動作により、注出ノズルを容易にかつ、安定して押し下げることができる。
【００５４】
容器体の注出ノズルに対する押圧ブロックの姿勢が、内容物の注出時に変化することがなく、段付き孔に対する注出ノズルの姿勢を常に一定に保持することができ、これにより注出ノズルとの間の強固なシールを安定して保持することができる。
【００５５】
請求項２記載の発明においては、一対の容器体を用いたものであるが、押圧ブロックは傾くことなく引き下げられ、段付き孔と注出ノズルとの間のシールを確実に保持することができる。
【００５６】
また、両注出ノズルは同時に開放操作されることになり、注出筒片はその姿勢を傾動変化させることがないので、両容器体の注出ノズルが等しく押し下げられ、両容器体から吐出される内容物の量を常時一定にすることができ、使用者は特に意識することなく、常時適切な混合比で使用することができる。
【００５７】
請求項３記載の発明においては、垂下筒が上下に摺動変位自在に外装筒に外嵌しており、装着体とキャップ体の相対的な上下方向の動作をより安定して達成することが可能となり、また、垂下片の変形を抑制することができ、操作片の押圧操作をより安定して達成することができる。
【００５８】
請求項４記載の発明においては、一対の垂下片を垂下設したもであり、垂下片を筒状にする場合に比較して、材料コストを軽減でき、また容器の軽量化が可能である。
【００５９】
請求項５記載の発明においては、ガイド孔とガイド片により装着体とキャップ体の相対的な上下方向の動作を傾くことなくより安定して達成することができる。
【００６０】
請求項６記載の発明においては、高圧でも充分なシール性を確保でき、両容器の内容物の混合を均一に達成することが可能な、エアゾール式の注出容器を提供することができ、また比較的小さな力で、注出量を加減しながら内容物を注出させることが可能となる。
【００６１】
請求項７記載の発明においては、容器体の内容物を、直接ブラシあるいは櫛等の塗布体に注出することができ、容易な操作で頭髪等へ塗布することができ、特に一対の容器体を用いる場合には、両内容物を混合した状態でブラシ状に注出することができる。
【図面の簡単な説明】
【図１】本発明の注出容器の第1実施例を示す、使用状態の全体斜視図。
【図２】第1実施例の、装着体とキャップ体を半縦断した正面図。
【図３】第1実施例の、右側は容器体中心部、左側は注出容器中心部で装着体とキャップ体を半縦断した側面図。
【図４】第1実施例の、全体平面図。
【図５】第1実施例の動作を示す、容器体中心部で装着体とキャップ体を縦断した側面図。
【図６】本発明の注出容器の第２実施例を示す、全体斜視図。
【図７】本発明の注出容器の第3実施例を示す、全体斜視図。
【図８】第３実施例の動作を示す、容器体中心部で装着体とキャップ体を縦断した側面図。
【図９】本発明の注出容器の第１実施例の先端に櫛体を付設した状態を、一部破断して示した、斜視図。
【図１０】本発明の注出容器の第４実施例を示す、使用状態の全体斜視図。
【符号の説明】
１    ；  容器体
２    ；  頭部
３    ；  注出ノズル
４    ；  周溝部
１１  ；  装着体
１２  ；  外装筒
１３  ；  頂板
１４  ；  開口部
１５  ；  嵌着筒状片
１６  ；  ガイド片
１７  ；  延長片
２１  ；  キャップ体
２２  ；  押圧ブロック
２３  ；  段付き孔
２４  ；  注出筒片
２５  ；  注出口
２６  ；  注出路
２７  ；  下蓋板片
２８  ；  ガイド孔
２９  ；  頂壁
３０  ；  垂下片
３０ａ  ；  垂下筒
３１  ；  操作片
３２  ；  肩部
３３  ；  指当て部
４１  ；  作用突片
４２  ；  ヒンジ部
４３  ；  先端部
４４  ；  係止段部
４５  ；  横条
５０  ；  櫛体
５１  ；  起立筒
５２  ；  枠櫛歯片
５３  ；  櫛歯体部
５４  ；  連結体
５５  ；  櫛歯片
５６  ；  嵌入筒片
５７  ；  櫛歯注出路
５８  ；  櫛歯注出口
５９  ；  貫通孔
【図１】
0004001201.tif 000002
【図２】
0004001201.tif 000003
【図３】
0004001201.tif 000004
【図４】
0004001201.tif 000005
【図５】
0004001201.tif 000006
【図６】
0004001201.tif 000007
【図７】
0004001201.tif 000008
【図８】
0004001201.tif 000009
【図９】
0004001201.tif 000010
【図１０】
0004001201.tif 000011